(57)【要約】      （修正有）【課題】通信の途切れの発生を防止する。【解決手段】ＡＶセンター２は、無線通信部２２と、各部に電源電圧を供給するための電源部２５と、マイクロコンピューター２１と、を備える。ワイヤレススピーカー３は、無線通信部３２と、各部に電源電圧を供給するための電源部３５と、マイクロコンピューター３１と、を備える。マイクロコンピューター２１、３１は、ＡＶセンター２のマイクロコンピューター２１が、音声再生システム１の電源オフの設定を受け付けた場合も、電源部２５、３５により、無線通信部２２、３２に電源電圧を供給する。そして、マイクロコンピューター２１、３１は、無線通信部２２、３２により、無線通信を行い、ＤＦＳ帯のチャンネルを監視する。【選択図】図１
2018037815.tif 000002
【特許請求の範囲】
【請求項１】
ＤＦＳ帯を使用し、無線通信装置が無線通信を行う無線通信システムであって、
前記無線通信装置は、無線通信部と、各部に電源電圧を供給するための電源部と、制御部と、を備え、
前記制御部は、一方の前記無線通信装置の前記制御部が、自システムの電源オフの設定を受け付けた場合も、前記電源部により、前記無線通信部に電源電圧を供給し、
前記一方の無線通信装置の前記制御部と、他方の前記無線通信部の前記制御部とは、前記無線通信部により、無線通信を行い、ＤＦＳ帯のチャンネルを監視することを特徴とする無線通信システム。
【請求項２】
前記一方の無線通信装置の前記制御部は、前記無線通信部により、前記他方の無線通信装置に音声信号を送信し、
前記他方の無線通信装置の前記制御部は、前記無線通信部により、音声信号を受信することを特徴とする請求項１に記載の無線通信システム。
【請求項３】
前記他方の無線通信装置は、音声信号を増幅する増幅部をさらに備え、
前記一方の無線通信装置の前記制御部は、自システムの電源オフの設定を受け付けた場合に、前記無線通信部により、前記他方の無線通信装置に、前記増幅部への電源電圧の供給を遮断することを示す遮断指示を送信し、
前記他方の無線通信装置の前記制御部は、前記無線通信部により、前記遮断指示を受信した場合、前記電源部による前記増幅部への電源電圧の供給を遮断することを特徴とする請求項２に記載の無線通信システム。
【請求項４】
前記一方の無線通信装置の前記制御部は、自システムの電源オンの設定を受け付けた場合に、前記無線通信部により、前記他方の無線通信装置に、前記増幅部へ電源電圧を供給することを示す供給指示を送信し、
前記他方の無線通信装置の前記制御部は、前記無線通信部により、前記供給指示を受信した場合、前記電源部により、前記増幅部へ電源電圧を供給することを特徴とする請求項３に記載の無線通信システム。
【請求項５】
前記一方の無線通信装置の前記制御部は、自システムの電源がオフとなった場合も、ＤＦＳ帯のチャンネルを監視する第１スタンバイモードと、自システムの電源がオフとなった場合に、ＤＦＳ帯のチャンネルを監視しない第２スタンバイモードと、の設定を受け付け、
前記制御部は、前記一方の無線通信装置の前記制御部が、前記第１スタンバイモードの設定を受け付けた場合にのみ、前記一方の無線通信装置の前記制御部が、自システムの電源オフの設定を受け付けた場合も、前記電源部により、前記無線通信部に電源電圧を供給し、
前記制御部は、前記一方の無線通信装置の前記制御部が、前記第２スタンバイモードの設定を受け付けた場合は、前記一方の無線通信装置の前記制御部が、自システムの電源オフの設定を受け付けた場合に、前記電源部により、前記無線通信部に電源電圧を供給しないことを特徴とする請求項１に記載の無線通信システム。
【請求項６】
請求項１〜５のいずれか１項に記載の無線通信装置。
【発明の詳細な説明】
【技術分野】
【０００１】
本発明は、ＤＦＳ（Dynamic Frequency Selection）帯を使用する無線通信システム、及び、無線通信装置に関する。
【背景技術】
【０００２】
ＤＦＳ帯とは、Ｗ５３／Ｗ５６（１５ｃｈ−２９ｃｈ）の無線通信帯域で、一般的に、Ｗ５２、２．４ＧＨｚに比べて、混雑していない帯域である。このため、ＤＦＳ帯を使用することにより、通信の途切れの発生を防止することが可能である。ただし、ＤＦＳ帯を使用する場合、以下の（１）〜（３）の条件を満たす必要がある（例えば、特許文献１参照。）。
（１）帯域内のチャンネルでの通信を開始する前に、チャンネルを監視し、１分間妨害がないことを確認しなければ、そのチャンネルを使用することができない。
（２）１分間の監視後も、妨害が検出された場合は、すぐにそのチャンネルから移動しなければならない。
（３）妨害が、軍事、又は、気象用のレーダーである場合は、そのチャンネルは、３０分間使用することができない。
【先行技術文献】
【特許文献】
【０００３】
【特許文献１】特開２０１２−２５３８０７号公報
【発明の概要】
【発明が解決しようとする課題】
【０００４】
ＤＦＳ帯を使用した、無線通信装置が無線通信する無線通信システムでは、無線通信装置の電源オン後、最低１分間、上記した監視のため、ＤＦＳ帯を使用することができない。このため、Ｗ５２帯、２．４ＧＨｚ帯といった混雑した帯域で通信を行うことになる。そのため、電波環境によっては、通信の途切れが発生する可能性が高い。例えば、無線通信システムが、音声信号を送信する無線通信装置と、音声信号を受信する無線通信装置とから構成される場合、ノイズ、音切れが発生する可能性が高い。
【０００５】
また、無線通信装置の電源オン後、１分間監視後に、ＤＦＳ帯に移動しても、無線通信装置の電源がオフされると、監視の結果はクリアされる。このため、無線通信装置の電源オン後、１分間の監視を行う必要があり、最低１分間、通信の途切れが発生する可能性が高い。例えば、無線通信システムが、音声信号を送信する無線通信装置と、音声信号を受信する無線通信装置とから構成される場合、ノイズ、音切れが発生する可能性が高い。
【０００６】
本発明の目的は、通信の途切れの発生を防止することである。
【課題を解決するための手段】
【０００７】
第１の発明の無線通信システムは、ＤＦＳ帯を使用し、無線通信装置が無線通信を行う無線通信システムであって、前記無線通信装置は、無線通信部と、各部に電源電圧を供給するための電源部と、制御部と、を備え、前記制御部は、一方の前記無線通信装置の前記制御部が、自システムの電源オフの設定を受け付けた場合も、前記電源部により、前記無線通信部に電源電圧を供給し、前記一方の無線通信装置の前記制御部と、他方の前記無線通信部の前記制御部とは、前記無線通信部により、無線通信を行い、ＤＦＳ帯のチャンネルを監視することを特徴とする。
【０００８】
本発明では、制御部は、一方の無線通信装置の制御部が、自システムの電源オフの設定を受けた場合も、電源部により、無線通信部に電源電圧を供給する。そして、一方の無線通信装置の制御部と、他方の無線通信部の前記制御部とは、無線通信部により、無線通信を行い、ＤＦＳ帯のチャンネルを監視する。これにより、無線通信システムの電源がオンになった後、１分間の監視をすることなく、最初から混雑していないＤＦＳ帯で無線通信を行うことができる。従って、通信の途切れの発生が防止される。
【０００９】
第２の発明の無線通信システムは、第１の発明の無線通信システムにおいて、前記一方の無線通信装置の前記制御部は、前記無線通信部により、前記他方の無線通信装置に音声信号を送信し、前記他方の無線通信装置の前記制御部は、前記無線通信部により、音声信号を受信することを特徴とする。
【００１０】
本発明では、一方の無線通信装置の制御部は、無線通信部により、他方の無線通信装置に音声信号を送信する。また、他方の無線通信装置の制御部は、無線通信部により、音声信号を受信する。従って、無線通信システムの電源がオンになった後、１分間の監視をすることなく、最初から混雑していないＤＦＳ帯で音声信号の送受信を行うことができる。これにより、ノイズ、音切れが発生することがないため、ユーザーは、クリアな音声を聴取することができる。
【００１１】
第３の発明の無線通信システムは、第２の発明の無線通信システムにおいて、前記他方の無線通信装置は、音声信号を増幅する増幅部をさらに備え、前記一方の無線通信装置の前記制御部は、自システムの電源オフの設定を受け付けた場合に、前記無線通信部により、前記他方の無線通信装置に、前記増幅部への電源電圧の供給を遮断することを示す遮断指示を送信し、前記他方の無線通信装置の前記制御部は、前記無線通信部により、前記遮断指示を受信した場合、前記電源部による前記増幅部への電源電圧の供給を遮断することを特徴とする。
【００１２】
本発明では、一方の無線通信装置の制御部は、自システムの電源オフの設定を受け付けた場合に、無線通信部により、他方の無線通信装置に、増幅部への電源電圧の供給を遮断することを示す遮断指示を送信する。そして、他方の無線通信装置の制御部は、無線通信部により、遮断指示を受信した場合、電源部による増幅部への電源電圧の供給を遮断する。これにより、無線通信システムの電源がオフになった場合に、増幅部への電源電圧の供給を遮断することで、消費電力を低減することができる。
【００１３】
第４の発明の無線通信システムは、第３の発明の無線通信システムにおいて、前記一方の無線通信装置の前記制御部は、自システムの電源オンの設定を受け付けた場合に、前記無線通信部により、前記他方の無線通信装置に、前記増幅部へ電源電圧を供給することを示す供給指示を送信し、前記他方の無線通信装置の前記制御部は、前記無線通信部により、前記供給指示を受信した場合、前記電源部により、前記増幅部へ電源電圧を供給することを特徴とする。
【００１４】
本発明では、一方の無線通信装置の制御部は、自システムの電源オンの設定を受け付けた場合に、無線通信部により、他方の無線通信装置に、増幅部へ電源電圧を供給することを示す供給指示を送信する。そして、他方の無線通信装置の制御部は、無線通信部により、供給指示を受信した場合、電源部により、増幅部へ電源電圧を供給する。これにより、無線通信システムの電源がオンになった場合に、増幅部へ電源電圧を供給し、増幅部を、音声信号を増幅可能な状態とすることができる。
【００１５】
第５の発明の無線通信システムは、第１の発明の無線通信システムにおいて、前記一方の無線通信装置の前記制御部は、自システムの電源がオフとなった場合も、ＤＦＳ帯のチャンネルを監視する第１スタンバイモードと、自システムの電源がオフとなった場合に、ＤＦＳ帯のチャンネルを監視しない第２スタンバイモードと、の設定を受け付け、前記制御部は、前記一方の無線通信装置の前記制御部が、前記第１スタンバイモードの設定を受け付けた場合にのみ、前記一方の無線通信装置の前記制御部が、自システムの電源オフの設定を受け付けた場合も、前記電源部により、前記無線通信部に電源電圧を供給し、前記制御部は、前記一方の無線通信装置の前記制御部が、前記第２スタンバイモードの設定を受け付けた場合は、前記一方の無線通信装置の前記制御部が、自システムの電源オフの設定を受け付けた場合に、前記電源部により、前記無線通信部に電源電圧を供給しないことを特徴とする。
【００１６】
本発明では、一方の無線通信装置の制御部は、自システムの電源がオフとなった場合も、ＤＦＳ帯のチャンネルを監視する第１スタンバイモードと、自システムの電源がオフとなった場合に、ＤＦＳ帯のチャンネルを監視しない第２スタンバイモードと、の設定を受け付ける。これにより、ユーザーは、無線通信システムの電源がオフとなった場合も、ＤＦＳ帯のチャンネルを監視し、電源オン後、最初から通信の途切れがない第１スタンバイモード、無線通信システムの電源がオフとなった場合に、ＤＦＳ帯のチャンネルを監視せず、消費電力が少ない第２スタンバイモードのいずれかを選択することができる。
【００１７】
第６の発明の無線通信装置は、第１〜第５のいずれかの発明の無線通信システムにおける無線通信装置である。
【発明の効果】
【００１８】
本発明によれば、通信の途切れの発生が防止される。
【図面の簡単な説明】
【００１９】
【図１】本発明の実施形態に係る音声再生システムの構成を示すブロック図である。
【図２】音声再生システムにおけるＤＦＳ帯のチャンネルの監視を示すフローチャートである。
【発明を実施するための形態】
【００２０】
以下、本発明の実施形態について説明する。図１は、本実施形態に係る音声再生システムの構成を示すブロック図である。音声再生システム１（無線通信システム）は、ＡＶセンター２（無線通信装置）と、ワイヤレススピーカー３（無線通信装置）と、を備える。ＡＶセンター２と、ワイヤレススピーカー３とは、無線通信を行う。ＡＶセンター２は、音声信号をワイヤレススピーカー３に送信する。ワイヤレススピーカー３は、ＡＶセンター２から送信された音声信号を受信し、音声を再生する。
【００２１】
（ＡＶセンター）
ＡＶセンター２は、マイクロコンピューター２１と、無線通信部２２と、表示部２３と、操作部２４と、電源部２５と、を備える。マイクロコンピューター２１（制御部）は、ＡＶセンター２を構成する各部を制御する。無線通信部２２は、他の装置と無線通信を行うためのものである。マイクロコンピューター２１は、無線通信部２２により、ワイヤレススピーカー３と無線通信を行う。マイクロコンピューター２１は、無線通信部２２により、ワイヤレススピーカー３に音声信号、データ信号を送信する。また、マイクロコンピューター２１は、無線通信部２２により、ワイヤレススピーカー３からのデータ信号を受信する。
【００２２】
表示部２３は、設定画面、音量レベルなどを表示するものである。表示部２３は、ＬＣＤ（液晶ディスプレイ）や蛍光表示管等から構成されている。操作部２４は、ユーザー操作を受け付けるためのものである。操作部２４は、ＡＶセンター２の筐体に設けられた操作ボタン、リモートコントローラーにより構成されている。電源部２５は、ＡＶセンター２を構成する各部に電源電圧を供給するためのものである。マイクロコンピューター２１は、電源部２５により、各部に電源電圧を供給する。
【００２３】
（ワイヤレススピーカー）
ワイヤレススピーカー３は、マイクロコンピューター３１と、無線通信部３２と、増幅部３３と、スピーカー３４と、電源部３５と、を備える。マイクロコンピューター３１（制御部）は、ワイヤレススピーカー３を構成する各部を制御する。無線通信部３２は、他の装置と無線通信を行うためのものである。マイクロコンピューター３１は、無線通信部３２により、ワイヤレススピーカー３と無線通信を行う。マイクロコンピューター３１は、無線通信部３２により、ＡＶセンター２からの音声信号を受信する。また、マイクロコンピューター３１は、無線通信部３２により、ＡＶセンター２にデータ信号を送信する。
【００２４】
増幅部３３は、無線通信部３２により受信した音声信号を増幅する。増幅部３３により増幅された音声信号は、スピーカー３４に出力される。スピーカー３４は、音声信号に基づいて、音声を再生する。
【００２５】
（ＤＦＳ帯のチャンネルの監視）
以下、音声再生システム１におけるＤＦＳ帯のチャンネルの監視について説明する。ＡＶセンター２のマイクロコンピューター２１は、音声再生システム１の電源がオフになった場合も、ＤＦＳ帯のチャンネルを監視する第１スタンバイモードと、音声再生システム１の電源がオフになった場合に、ＤＦＳ帯のチャンネルを監視しない第２スタンバイモードと、の設定を受け付ける。ユーザーは、ＡＶセンター２１の操作部２４を操作して、第１スタンバイモード、又は、第２スタンバイモードを選択することができる。
【００２６】
また、マイクロコンピューター２１は、音声再生システム１の電源オフの設定を受け付ける。マイクロコンピューター２１は、音声再生システム１の電源オフの設定を受け付けた場合、電源部２５による表示部２３等への電源電圧の供給を遮断し、ＡＶセンター２の電源をオフの状態とする。ここで、マイクロコンピューター２１は、音声再生システム１の電源オフの設定を受け付けたときに、第２スタンバイモードの設定を受け付けている場合は、電源部２５による無線通信部２２を含む各部への電源電圧の供給を遮断する。また、マイクロコンピューター２１は、無線通信部２２により、各部への電源電圧の供給を遮断することを示す遮断指示をワイヤレススピーカー３に送信する。ワイヤレススピーカー３のマイクロコンピューター３１は、無線通信部３２により、遮断指示を受信した場合、電源部３５による無線通信部３２を含む各部への電源電圧の供給を遮断し、ワイヤレススピーカー３の電源をオフの状態とする。
【００２７】
マイクロコンピューター２１は、音声再生システム１の電源オフの設定を受け付けたときに、第１スタンバイモードの設定を受け付けている場合は、電源部２５による無線通信部２２以外への電源電圧の供給を遮断し、ＡＶセンター２をオフの状態とする。従って、マイクロコンピューター２１は、電源部２５により、無線通信部２２に電源電圧を供給する。また、マイクロコンピューター２１は、無線通信部２２により、無線通信部３２以外への電源電圧の供給を遮断することを示す遮断指示をワイヤレススピーカー３に送信する。マイクロコンピューター３１は、遮断指示を受信した場合、電源部３５による無線通信部３２以外への電源電圧の供給を遮断し、ワイヤレススピーカー３をオフの状態とする。従って、マイクロコンピューター３１は、電源部３５により、無線通信部３２に電源電圧を供給する。
【００２８】
第１スタンバイモードの場合、マイクロコンピューター２１、３１は、無線通信部２２、３２により、無線通信を行い、ＤＦＳ帯のチャンネルを監視する。
【００２９】
また、マイクロコンピューター２１は、音声再生システム１の電源オンの設定を受け付ける。マイクロコンピューター２１は、音声再生システム１の電源オンの設定を受け付けた場合、電源部２５により、各部へ電源電圧を供給し、ＡＶセンター２の電源をオンの状態とする。また、マイクロコンピューター２１は、無線通信部２２により、各部へ電源電圧を供給することを示す供給指示をワイヤレススピーカー３に送信する。ワイヤレススピーカー３のマイクロコンピューター３１は、無線通信部３２により、供給指示を受信した場合、電源部３５により、各部へ電源電圧を供給し、ワイヤレススピーカー３の電源をオンの状態とする。
【００３０】
図２は、音声再生システム１におけるＤＦＳ帯のチャンネルの監視を示すフローチャートである。図２に示すように、ＡＶセンター２のマイクロコンピューター２１が、最初に、音声再生システム１の電源オンの設定を受け付けると、マイクロコンピューター２１と、ワイヤレススピーカー３のマイクロコンピューター３１とは、無線通信部２２、３２により、１分間、ＤＦＳ帯のチャンネルを監視する（Ｓ１）。次に、マイクロコンピューター２１は、監視しているチャンネルを使用可能か否か判断する（Ｓ２）。マイクロコンピューター２１が、監視しているチャンネルを使用不可能であると判断した場合（Ｓ２：Ｎｏ）、マイクロコンピューター２１、３１は、別のＤＦＳ帯のチャンネルを監視する（Ｓ３）。次に、マイクロコンピューター２１は、Ｓ２の処理を行う。
【００３１】
マイクロコンピューター２１が、監視しているチャンネルを使用可能であると判断した場合（Ｓ２：Ｙｅｓ）、マイクロコンピューター２１、３１は、無線通信部２２、３２により、監視していたＤＦＳ帯のチャンネルで接続する（Ｓ４）。マイクロコンピューター２１は、音声再生システム１の電源オフの設定を受け付けたときに（Ｓ５）、第１スタンバイモードの設定を受け付けている場合、電源部２５による無線通信部２２以外への電源電圧の供給を遮断し、ＡＶセンター２を電源オフの状態とする。また、マイクロコンピューター２１は、無線通信部２２により、無線通信部３２以外への電源電圧の供給を遮断することを示す遮断指示をワイヤレススピーカー３に送信する。マイクロコンピューター３１は、無線通信部３２により、遮断指示を受信した場合、電源部３５による無線通信部３２以外への電源電圧の供給を遮断し、ワイヤレススピーカー３を電源オフの状態とする。また、マイクロコンピューター２１、３１は、無線通信部２２、３２により、ＤＦＳ帯のチャンネルを監視する（Ｓ６）。
【００３２】
マイクロコンピューター２１が、音声再生システム１の電源オンの設定を受け付けると（Ｓ７）、マイクロコンピューター２１、３１は、無線通信部２２、３２により、監視していたＤＦＳ帯で接続する（Ｓ８）。次に、マイクロコンピューター２１は、電源部２５により、各部へ電源電圧を供給し、ＡＶセンター２の電源をオンの状態とする。また、マイクロコンピューター２１は、無線通信部２２により、各部へ電源電圧を供給することを示す供給指示をワイヤレススピーカー３に送信する。ワイヤレススピーカー３のマイクロコンピューター３１は、無線通信部３２により、供給指示を受信した場合、電源部３５により、各部へ電源電圧を供給し、ワイヤレススピーカー３の電源をオンの状態とする（Ｓ９）。
【００３３】
以上説明したように、本実施形態では、マイクロコンピューター２１、３１は、ＡＶセンター２のマイクロコンピューター２１が、音声再生システム１の電源オフの設定を受けた場合も、電源部２５、３５により、無線通信部２２、３２に電源電圧を供給する。そして、マイクロコンピューター２１、３１は、無線通信部２２、３２により、無線通信を行い、ＤＦＳ帯のチャンネルを監視する。これにより、音声再生システム１の電源がオンになった後、１分間の監視をすることなく、最初から混雑していないＤＦＳ帯で無線通信を行うことができる。従って、通信の途切れの発生が防止される。
【００３４】
また、本実施形態では、ＡＶセンター２のマイクロコンピューター２１は、無線通信部２２により、ワイヤレススピーカー３に音声信号を送信する。また、ワイヤレススピーカー３のマイクロコンピューター３１は、無線通信部３２により、音声信号を受信する。従って、音声再生システム１の電源がオンになった後、１分間の監視をすることなく、最初から混雑していないＤＦＳ帯で音声信号の送受信を行うことができる。これにより、ノイズ、音切れが発生することがないため、ユーザーは、クリアな音声を聴取することができる。
【００３５】
また、本実施形態では、ＡＶセンター２のマイクロコンピューター２１は、音声再生システム１の電源オフの設定を受け付けた場合に、無線通信部２２により、ワイヤレススピーカー３に、増幅部３３等への電源電圧の供給を遮断することを示す遮断指示を送信する。そして、ワイヤレススピーカー３のマイクコンピューター３１は、無線通信部３２により、遮断指示を受信した場合、電源部３５による増幅部３３等への電源電圧の供給を遮断する。これにより、音声再生システム１の電源がオフになった場合に、増幅部３３等への電源電圧の供給を遮断することで、消費電力を低減することができる。
【００３６】
また、本実施形態では、ＡＶセンター２のマイクロコンピューター２１は、音声再生システム１の電源オンの設定を受け付けた場合に、無線通信部２２により、ワイヤレススピーカー３に、増幅部３３等へ電源電圧を供給することを示す供給指示を送信する。そして、ワイヤレスピーカー３のマイクロコンピューター３１は、無線通信部３２により、供給指示を受信した場合、電源部３５により、増幅部３３等へ電源電圧を供給する。これにより、音声再生システム１の電源がオンになった場合に、増幅部３３へ電源電圧を供給し、増幅部３３を、音声信号を増幅可能な状態とすることができる。
【００３７】
また、本実施形態では、ＡＶセンター２のマイクロコンピューター２１は、音声再生システム１の電源がオフとなった場合も、ＤＦＳ帯のチャンネルを監視する第１スタンバイモードと、音声再生システム１の電源がオフとなった場合に、ＤＦＳ帯のチャンネルを監視しない第２スタンバイモードと、の設定を受け付ける。これにより、ユーザーは、音声再生システム１の電源がオフとなった場合も、ＤＦＳ帯のチャンネルを監視し、電源オン後、最初から通信の途切れがない第１スタンバイモード、音声再生システム１の電源がオフとなった場合に、ＤＦＳ帯のチャンネルを監視せず、消費電力が少ない第２スタンバイモードのいずれかを選択することができる。
【００３８】
以上、本発明の実施形態について説明したが、本発明を適用可能な形態は、上述の実施形態には限られるものではなく、以下に例示するように、本発明の趣旨を逸脱しない範囲で適宜変更を加えることが可能である。
【００３９】
上述の実施形態においては、無線通信システムとして、ＡＶセンター２とワイヤレススピーカー３とが無線通信し、音声信号を送受信する音声再生システム１を例示した。これに限らず、無線通信装置が無線通信を行う無線通信システムであればよい。
【産業上の利用可能性】
【００４０】
本発明は、ＤＦＳ帯を使用する無線通信システム、及び、無線通信装置に好適に採用され得る。
【符号の説明】
【００４１】
１  音声再生システム（無線通信システム）
２  ＡＶセンター（無線通信装置）
２１  マイクロコンピューター（制御部）
２２  無線通信部
２５  電源部
３  ワイヤレススピーカー（無線通信装置）
３１  マイクロコンピューター（制御部）
３２  無線通信部
３３  増幅部
３５  電源部
【図１】
2018037815.tif 000003
【図２】
2018037815.tif 000004